(57)【特許請求の範囲】
【請求項１】
全周に連続した布基礎と、この布基礎の建物外周部となる部分の側面を覆った断熱材と、この布基礎で囲まれた範囲の床下空間と地盤面とを遮蔽した防湿層コンクリートとを備え、前記断熱材を布基礎の両側面に配置し、かつ前記断熱材が前記布基礎の打設用の型枠兼用材であって、前記布基礎のコンクリートの打設の型枠として用いられコンクリートの硬化後に残されたものとした外断熱基礎構造。
【請求項２】
前記防湿層コンクリートの下面に床下防湿シートを設けた請求項１記載の外断熱基礎構造。
【請求項３】
前記防湿層コンクリートの下に、建物外周の地盤面よりも上面レベルが高くなる盛り土を設けた請求項１または請求項２記載の外断熱基礎構造。
【請求項４】
布基礎の上面に、形鋼製の長尺の土台を長手方向に沿って配置し、この土台の屋外面を、断熱性を有する土台カバーで覆った請求項１または請求項２記載の外断熱基礎構造。
【請求項５】
全周に連続した布基礎と、この布基礎の建物外周部となる部分の両側面を覆った断熱材と、この布基礎で囲まれた範囲の床下空間と地盤面とを遮蔽した防湿層コンクリートとを備えた外断熱基礎構造の施工方法であって、前記断熱材を前記布基礎の打設用の型枠として、布基礎となる空間の両側面に配置し、この型枠とする断熱材間の空間にコンクリートを打設し、このコンクリートの硬化後に前記型枠として用いられた断熱材を布基礎の両側面を覆う断熱材として残すことを特徴とする外断熱基礎構造の施工方法。
【発明の詳細な説明】
【０００１】
【発明の属する技術分野】
この発明は、寒冷地用住宅やその他の建物における布基礎の外断熱基礎構造に関する。
【０００２】
【従来の技術】
従来、寒冷地用住宅の布基礎では、床部の断熱強化や床下の防湿のために、次の基礎工事、左官工事、および木工事を施している。基礎工事としては、鉄筋を配筋し、ベースコンクリートを打設した後、立上り仮枠を組み、立上りコンクリートを打設する。この後、地盤を埋め戻し、防湿層を設け、砂押えを施す。左官工事としては、基礎の外周に床下換気口を取付ける。木工事としては、根太間にネット受け桟を架設して受けネットを張り、その上に断熱材となるグラスウールを配置する。また、根太上には防湿シートを敷く。
【０００３】
【発明が解決しようとする課題】
上記従来構成では、床下にネット受け桟やネットを張ってグラスウールを配置し、また防湿層を設けるため、作業工数が多くて施工に手間と時間がかかる。また、床下換気口の取付けのために作業が増え、しかもコンクリートの打設、養生期間、仮枠の解体等に多くの時間を要している。
断熱材として、一般地域の住宅のように板状の硬質の発泡スチロールを用いれば断熱施工が容易となるが、発泡スチロールでは断熱性が低いために寒冷地では十分な床下断熱が行えない。
【０００４】
この発明の目的は、施工が容易で施工時間を短縮できる断熱・防湿性に優れた外断熱基礎構造を提供することである。
【０００５】
【課題を解決するための手段】
この発明の外断熱基礎構造は、全周に連続した布基礎と、この布基礎の建物外周部となる部分の側面を覆った断熱材と、この布基礎で囲まれた範囲の床下空間と地盤面とを遮蔽した防湿層コンクリートとを設けたものである。布基礎の建物内周部となる部分の側面は、必ずしも断熱材を設けなくても良い。また、建物の外周に沿わない内部布基礎は、断熱材で覆っても、覆わなくても良い。
この構成によると、布基礎を覆った断熱材により、屋外の冷気に対する床下の断熱が行われる。この布基礎は建物等の全周に連続しており、またその内側の地盤は屋外の冷気に比べると温かいため、床部には特に断熱材を施さなくても、室内に対する床部での十分な断熱性が得られる。
また、床下空間と地盤面とを防湿層コンクリートで遮蔽しているため、地盤からの湿気が床下に伝わることがなく、床下換気口を省略できる。このように床下換気口を省略できるため、屋外の冷気が床下に入らず、布基礎部分で床部の断熱を図る構造としながら、優れた断熱性を確保できる。しかも、床下換気口を省略できるため、布基礎に開口部を施したり、換気口カバーの取付けを行う作業が不要となる。
【０００６】
前記断熱材は布基礎の両側面に配置し、かつ前記断熱材を前記布基礎の打設用の型枠とする。この断熱材は、前記布基礎のコンクリートの打設の型枠として用いられ、コンクリートの硬化後に残されたものとする。
このように断熱材を型枠兼用材とした場合は、型枠を解体する作業を省略でき、かつ別途に断熱材を取付ける手間が不要となる。また、布基礎をベース部と立上り部とを有する断面形状とした場合にも、コンクリート打ちを一度で済ますことができる。
防湿層コンクリートの下面には床下防湿シートを設けてもよい。このように構成した場合は、地盤からの湿気の侵入を一層確実に防止できる。また、この場合、防湿層コンクリートは、「防湿層押えコンクリート」として機能することになる。
また、防湿層コンクリートの下には、建物外周の地盤面よりも上面レベルが高くなる盛り土を設けてもよい。このように構成した場合は、防湿層コンクリートの上の床下空間を低くすることができ、床下空間に籠もる湿気をそれだけ少なくできる。
また、布基礎の上面に、形鋼製の長尺の土台を長手方向に沿って配置し、この土台の屋外面を、断熱性を有する土台カバーで覆ってもよい。このように構成した場合は、土台部分からの床下への冷気の侵入も確実に防止できる。
この発明の外断熱基礎構造の施工方法は、全周に連続した布基礎と、この布基礎の建物外周部となる部分の両側面を覆った断熱材と、この布基礎で囲まれた範囲の床下空間と地盤面とを遮蔽した防湿層コンクリートとを備えた外断熱基礎構造の施工方法であって、前記断熱材を前記布基礎の打設用の型枠として、布基礎となる空間の両側面に配置し、この型枠とする断熱材間の空間にコンクリートを打設し、このコンクリートの硬化後に前記型枠として用いられた断熱材を布基礎の両側面を覆う断熱材として残すことを特徴とする。
【０００７】
【発明の実施の形態】
この発明の一実施形態を図１ないし図３に基づいて説明する。この基礎構造は、図３に分解斜視図で示す寒冷地用住宅等の建物に適用したものである。布基礎１は、建物外周の全周に連続して設けられた外周部布基礎１Ａと、建物内部に設けられた内部布基礎１Ｂ（図２）とでなる。内部布基礎１Ｂは、建物の構造や大きさ等によって必要に応じて設けられるものであり、外周部布基礎１Ａから離れていても、また部分的に非連続としたものであっても良い。この実施形態では、内部布基礎１Ｂは外周部布基礎１Ａに続き、かつ全体が連続するものとしてある。これら外周部および内部の布基礎１Ａ，１Ｂは、いずれもベース部１ａとその上の立上り部１ｂとを有し、内部には鉄筋５が埋め込まれる。
【０００８】
布基礎１の外周部布基礎１Ａは、屋外側および屋内側の両面を断熱材２ａ，２ｂで各々覆ってあり、内部布基礎１Ｂも同様に両面を断熱材２ａ，２ｂで覆ってある。これら断熱材２ａ，２ｂは、布基礎１の型枠材を兼用するものであって、発泡ウレタン，発泡スチレン等の発泡樹脂の成形品からなり、ベース部１ａから立上り部１ｂにわたって側面の全体を覆うものとしてある。前記両断熱材２ａ，２ｂは、複数枚の面材２ａ1 〜２ａ3 ，２ｂ1 〜２ｂ3 を組み合わせて構成される。すなわち、各断熱材２ａ，２ｂは、略垂直な立上り部成形部となる面材２ａ1 ，２ｂ1 と、この立上り部成形部の下端から外側横方向へ延びるベース部上面成形部となる面材２ａ2 ，２ｂ2 と、このベース部上面成形部の先端から立ち下がるベース部側面成形部となる面材２ａ3 ，２ｂ3 とを組み合わせて構成される。
布基礎１で囲まれた範囲は、床下空間Ａと地盤Ｇの表面とを防湿層コンクリート３で遮蔽する。防湿層コンクリート３は前記断熱材２ａ，２ｂの施工後に打設したものであり、その外周部は断熱材２ａ，２ｂの表面まで設けられる。また、防湿層コンリート３の下には、地盤Ｇの屋外部分の表面よりも上面レベルが高くなるように予め盛り土を設けておく。これにより床下空間Ａを低くしてある。防湿層コンクリート３の下面には床下防湿シート４が敷かれ、防湿層コンクリート３は床下防湿シート４の押えコンクリートとしても機能する。
【０００９】
布基礎１の上面には、図３のように溝形鋼等の形鋼製の長尺材からなる土台６が長手方向に沿って連続するように配置され、布基礎１の天端面に突出させたアンカーボルト８によって接合される。この実施形態では土台６を溝形鋼とし、開口を外向きとしてある。土台６の屋外面は全体を土台カバー９で覆っておく。土台カバー９は、化粧鋼板等の外装板９ａの内側に断熱材９ｂを設けたものである。
【００１０】
土台６の上方には、図３のように外壁となる複数枚の壁パネル１０が並設され、土台６にボルト等で固定される。壁パネル１０の上端は、Ｈ形鋼等の形鋼製の胴差７に接合される。壁パネル１０は、金属製のパネルフレーム１２と、その両側を覆う面材１３，１３と、これら面材１３，１３の間に充填した断熱性の発泡樹脂１４とからなる。なお、図３では壁パネル１０の内部が分かるように、一枚の壁パネル１０についてはパネルフレーム１２のみを図示してある。
建物の各階の床には床パネル１６が使用される。床パネル１６は、平行な一対の床小梁１７，１７間に根太１８を組み込み、その上に床板１９を貼り付けて構成される。床パネル１６は、土台６や床大梁２０に取付けられた床パネル受け金物２１上にボルト固定してある。床大梁２０は、両端を土台６に接合したものである。
【００１１】
この基礎構造によると、布基礎１の断熱材２ａ，２ｂにより、屋外の冷気に対して床下が断熱される。また、床下空間Ａは防湿層コンクリート３と床下防湿シート４とで地盤面から遮蔽されるため、地盤から湿気が床下に伝わることがなく、床下換気口を省略できる。このように床下換気口を省略できるため、屋外の冷気が床下に入らず、布基礎１の断熱材２ａ，２ｂで床部の断熱を図る構造としながら、優れた断熱性を確保できる。そのため、１階の床パネル１６に断熱施工を施す必要がなくなる。また、前記のように湿気の侵入を防止できるため、床パネル１６に防湿施工を施す必要もない。しかも、床下換気口を省略できるため、布基礎１に換気口となる開口部を施したり、換気口カバーを取り付ける作業が不要となる。防湿層コンクリート３の下に盛り土を施して床下空間Ａを低くした場合は、床下で湿気が籠もる容積が小さくなり、床面への湿気の影響が一層確実に防止される。防湿層コンクリート３は、床パネル１６の下面に近接させて床下空間Ａを殆どなくしても良い。
布基礎１の断熱材２ａ，２ｂは型枠を兼用するものであるため、型枠を解体する作業が不要であり、また布基礎１がベース部１ａと立上り部１ｂとを有する断面形状でありながら、コンクリート打ちを一回で済ますことができる。これらにより、基礎、左官、木工事が簡素化され、施工性が向上する。
さらに、布基礎１の上面に形鋼製の土台６を長手方向に沿って配置し、その屋外面を断熱材付きの土台カバー９で覆ったので、土台部分からの床下への冷気の侵入も確実に防止でき、建物の床部の断熱効果が一層向上する。
【００１２】
図４〜図１１はこの発明の他の実施形態を示す。この実施形態では、布基礎１の両面を各々覆う断熱材２ａ，２ｂとして、図４のように一体型であって、かつベース部上面を傾斜面に成形する形状のものを使用している。すなわち、各断熱材２ａ，２ｂは、略垂直な立上り部成形部２ａ11，２ｂ11と、この立上り部成形部の下端から外側斜め下方へ延びるベース部上面成形部２ａ22，２ｂ22と、このベース部上面成形部の先端から立ち下がるベース部側面成形部２ａ33，２ｂ33とを有する。各断熱材２ａ，２ｂのベース部上面成形部２ａ22，２ｂ22は、厚さ一定のものとしても良く、また図８（Ａ）のように上側部分が厚肉となるテーパ状としても良い。また、各断熱材２ａ，２ｂは、図９に示すように下端を地盤Ｇの根切底または捨コンクリート（図示せず）の上に配置した一対の平行な溝型材２７，２７上に配置し、両側の断熱材２ａ，２ｂを棒状のセパレータ２８で相互に結合しても良い。溝形材２７は、基礎長手方向に並ぶ複数の断熱材２ａ，２ｂが載置可能な長さのものとしてある。このように溝形材２７に嵌合させることで、施工時の断熱材２ａ，２ｂの位置決めが簡単に、かつ精度良く行える。
【００１３】
また、この実施形態では、土台６の屋外面全体を覆う土台カバー９は化粧鋼板等の外装板のみからなり、その上端立上げ片９ｃを図７のように前記壁パネル１０のパネルフレーム１２にビス２２で締め付けると共に、下端係合溝９ｄに係合させた底板２３を、釘２５等の固着具で外側断熱材２ａの上端の桟木２４に止め付けている。底板２３と桟木２４の間には厚手の樹脂テープ等の気密テープ（図示せず）を介在させてある。桟木２４は、屋外側断熱材２ａの上端に発泡成形時の接着性で固着してある。屋外側断熱材２ａの表面の一部には、硬質スレート板等からなる外装用ボード２６が、断熱材２ａの発泡成形時の接着性により接着され、これにより布基礎１の耐候性向上が図られる。
外装用ボード２６は、図８（Ｂ）のように裏面を樹脂ネット２６ａとして樹脂モルタル層２６ｂと、その外面に貼付けたタイル２６ｃとでなるものを使用しても良い。その他の構成は先の実施形態の場合と同様である。
【００１４】
この基礎構造によると、型枠に兼用される両断熱材２ａ，２ｂのベース部上面成形部２ａ22，２ｂ22が傾斜面となっているため、水平面とした場合と異なり、コンクリート打設時にベース部１ａの上面側縁等で充填不良を生じることがなく、型枠内の全体にコンクリートが確実に充填される。これにより、基礎の施工性がさらに向上する。
【００１５】
図１０は図４に示す外断熱基礎構造を適用した寒冷地用建物の一例の基礎伏図を示す。図１１（Ａ），（Ｂ）は、その玄関の土間部およびポーチ部１９の断面を示し、図１１（Ｃ）は一般部の断面を示す。土間部およびポーチ部１０は、割栗石４０の上に成形品の断熱材２ｃを敷いた後に、必要に応じて鉄筋５を配筋し、この断熱材２ｃと本体の布基礎部１Ａ，１Ｂ，１Ｃの断熱材２ａ，２ｂとを型枠材としてコンクリート１５を打設することにより、布基礎部１Ａ〜１Ｃと同時に施工される。この場合の布基礎部１Ｃは、略垂直な立上り部１ｂだけからなる。図１１（Ｃ）のように、一般部においては、布基礎１で囲まれる全範囲につき、布基礎１の上端で布基礎１と続くベタ基礎状の基礎コンクリート３Ｄを打設してある。この基礎コンクリート３Ｄは、割栗石上に敷いた断熱材２ｃ上に打設したものである。図１０の符号９９で示す部分は単独基礎を示す。
【００１６】
【発明の効果】
この発明の外断熱基礎構造は、建物の全周に連続した布基礎と、この布基礎の建物外周部となる部分の側面を覆った断熱材と、この布基礎で囲まれた範囲の床下空間と地盤面とを遮蔽した防湿層コンクリートとを設けたため、優れた断熱性、防湿性を得ながら、左官工事や木工事等の防湿や断熱関連の作業が削減できて施工が容易となり、作業時間を短縮することができる。
また、前記断熱材を布基礎の両側面に配置して型枠兼用材としたため、基礎コンクリートの打設が一回で済み、しかも型枠を解体する作業や、別途に断熱材を取付ける手間が省ける。
防湿層コンクリートの下面に床下防湿シートを設けた場合は、防湿効果が一層向上する。
防湿層コンクリートの下に、建物外周の地盤面よりも上面レベルが高くなる盛り土を設けた場合は、防湿層コンクリートの上の床下空間が低くなり、床下の湿気の籠もりを一層確実に無くすことができる。
また、布基礎の上面に、形鋼製の長尺の上台を長手方向に沿って配置し、この土台の屋外面を、断熱性を有する上台カバーで覆った場合は、土台部分からの冷気の侵入が防止できて、断熱効果が一層向上し、しかも土台部の断熱施工が簡単で済む。
【図面の簡単な説明】
【図１】この発明の一実施形態にかかる外断熱基礎構造の縦断熱面である。
【図２】同外断熱基礎構造を適用した建物の下部を示す縦断面図である。
【図３】同外断熱基礎構造を適用した建物の分解斜視図である。
【図４】この発明の他の実施形態にかかる外断熱基礎構造の縦断面図である。
【図５】同外断熱基礎構造を適用した建物の下部を示す縦断面図である。
【図６】同外断熱基礎構造を適用した建物の分解斜視図である。
【図７】同基礎構造を適用した建物の基礎天端部および土台付近を示す拡大断面図である。
【図８】（Ａ），（Ｂ）は各々同外断熱基礎構造の変形例の縦断面図である。
【図９】同外断熱基礎構造におけるコンクリート打設前の状態を示す斜視図である。
【図１０】同基礎構造を適用した建物の基礎の具体例を示す伏図である。
【図１１】（Ａ）〜（Ｃ）は各々図１０のＩ−Ｉ線、II−II線、およびIII-III 線に沿う断面断面図である。
【符号の説明】
１…布基礎、２ａ，２ｂ…断熱材、３…防湿層コンクリート、４…床下防湿シート、６…土台、９…土台カバー
【図１】
0003641038.tif 000002
【図２】
0003641038.tif 000003
【図３】
0003641038.tif 000004
【図４】
0003641038.tif 000005
【図５】
0003641038.tif 000006
【図６】
0003641038.tif 000007
【図７】
0003641038.tif 000008
【図８】
0003641038.tif 000009
【図９】
0003641038.tif 000010
【図１０】
0003641038.tif 000011
【図１１】
0003641038.tif 000012